(57)【要約】【課題】位置検索時においてより簡便な操作で検索者の認証を行いつつ被検索者を指定することを可能にする。【解決手段】検索者１はアクセスコードという簡便な操作を入力するだけで被検索者２の位置を知ることができる。また、アクセスコードが入力された移動通信端末１０からＷＷＷサーバ装置５１に送信されてくるリクエストにはこの移動通信端末１０に固有のＵＩＤが含まれているので、アクセスコードとＵＩＤとの組み合わせが予め登録しているものと合致するか否かによって、検索者１の正当性を確認することができる。このＵＩＤは、移動通信端末１０の電話番号に基づいてゲートウェイ装置１２によって記述されるものであるが、電話番号を改竄することは一般に困難であることからＵＩＤを改竄することも非常に難しいといえる。このように、従来のようなユーザが手動で入力していたＩＤ及びパスワードに代えて、ＵＩＤを利用しているので検索者１の認証はより信頼性が高いものとなる。【選択図】        図１
2004282201.tif 000002
【特許請求の範囲】
【請求項１】
被検索者が所持する移動機と、
検索者が利用する通信端末と、
前記移動機の位置を算出する測位装置と、
前記通信端末に固有の端末識別情報及び前記移動機の位置を検索するためのコード情報を、前記移動機に固有の機器識別情報に対応付けて記憶したサーバ装置とを備え、
前記通信端末は、
前記検索者が前記コード情報を入力するための操作を受け付ける手段と、
入力された前記コード情報を自端末に固有の端末識別情報とともに前記サーバ装置に送信する手段とを有し、
前記サーバ装置は、
前記通信端末から送信されてくる前記コード情報及び前記端末識別情報を受信する手段と、
受信した前記コード情報及び前記端末識別情報に対応付けて記憶している前記移動機の機器識別情報を抽出し、抽出した機器識別情報を前記測位装置に送信する手段とを有し、
前記測位装置は、前記サーバ装置によって抽出された機器識別情報に基づいて、検索対象となる前記移動機の位置を算出する測位システム。
【請求項２】
前記通信端末が、
前記検索者しか知り得ないパスワードと、当該検索者が位置検索の対象にしたい前記被検索者によって所持される移動機を示す前記機器識別情報と、当該検索者が所望する前記コード情報とを入力するための操作を受け付ける手段と、
入力された前記パスワード、前記機器識別情報及び前記コード情報を、自端末の端末識別情報とともに前記サーバ装置に送信する手段とを有し、
前記サーバ装置が、
前記通信端末から送信されてくる前記パスワード、前記機器識別情報、コード情報及び前記端末識別情報を受信する手段と、
受信した前記パスワード及び前記機器識別情報を既に記憶している内容と照合することによって、前記検索者についての認証を行う手段と、
前記認証によって前記検索者の正当性が確認された場合には、既に記憶している前記パスワード及び前記機器識別情報に対応付けて、当該機器識別情報及び当該パスワードとともに受信した前記コード情報及び前記端末識別情報を記憶する手段とを有する請求項１記載の測位システム。
【請求項３】
前記サーバ装置が、前記測位装置によって算出された位置を示す位置情報を取得し、取得した位置情報を前記通信端末に送信する手段を有し、
前記通信端末が、受信した前記位置情報を出力する手段を有する請求項１記載の測位システム。
【請求項４】
被検索者が所持する移動機の位置を検索するためのコード情報及び検索者が利用する通信端末に固有の端末識別情報と、前記移動機に固有の機器識別情報とを対応付けて記憶する記憶手段と、
前記通信端末からの要求に応じて、前記コード情報の入力を前記検索者に促すためのデータを前記通信端末に送信する手段と、
前記通信端末から送信されてくる前記コード情報と当該通信端末に固有の端末識別情報とを受信する手段と、
受信した前記コード情報及び前記端末識別情報に対応付けて前記記憶手段に記憶されている前記機器識別情報を読み出す手段と、
読み出した前記機器識別情報を測位装置に送信する手段と
を備えるサーバ装置。
【発明の詳細な説明】
本発明は、移動機を所持する被検索者の位置を算出するための技術に関する。
【０００１】
【従来の技術】
ＰＨＳ（Ｐｅｒｓｏｎａｌ  Ｈａｎｄｙｐｈｏｎｅ  Ｓｙｓｔｅｍ）のゾーン構成においては、いわゆるマイクロセル方式が採用されている。このマイクロセル方式とは、半径数百メートル程度の比較的小さい無線セルを多数配置することによって通信サービスエリア全域を構成する、という方式である。このマイクロセル方式では、ＰＨＳ端末が在圏している無線セルの位置に基づいて、ＰＨＳ端末の位置を誤差数百メートル程度で測位可能なことが知られており、この測位技術を応用したサービスも既に開始されている。
【０００２】
ただし、個人の位置を表す情報は、プライバシーに関わる情報であるので、正当な権限を持つ者以外には知られないように努めなければならない。そこで、位置検索を行うにあたっては、その位置検索を指示した検索者が正当な権限を持つ者であることを確認するための認証処理が必須である。例えば、特許文献１では、被検索者を指定するためのＰＨＳ端末の電話番号とともに、検索者しか知り得ないパスワードの入力を促すことによって、この検索者の正当性を確認している。
【０００３】
【特許文献１】
特開平９−２８４８３３号公報
【０００４】
【発明が解決しようとする課題】
上記のような認証方式においては、検索者は位置検索を指示するにあたって、１１桁の電話番号に加えて、さらに数桁程度のパスワードを入力するという非常に煩わしい操作手順を踏まなければならない。例えば、親が幼い子供の位置を検索したいと考えたり、身内が高齢の親の位置を検索したいと考える機会は一日に何度もあり得るであろうが、上記のような煩雑な入力操作が検索者の検索意欲を殺いでしまうことが懸念される。
【０００５】
本発明は、このような背景の下になされたものであり、位置検索時においてより簡便な操作で検索者の認証を行いつつ被検索者を指定することが可能な仕組みを提供するものである。
【０００６】
【課題を解決するための手段】
上述した課題を解決するため、本発明は、被検索者が所持する移動機と、検索者が利用する通信端末と、前記移動機の位置を算出する測位装置と、前記通信端末に固有の端末識別情報及び前記移動機の位置を検索するためのコード情報を、前記移動機に固有の機器識別情報に対応付けて記憶したサーバ装置とを備え、前記通信端末は、前記検索者が前記コード情報を入力するための操作を受け付ける手段と、入力された前記コード情報を自端末に固有の端末識別情報とともに前記サーバ装置に送信する手段とを有し、前記サーバ装置は、前記通信端末から送信されてくる前記コード情報及び前記端末識別情報を受信する手段と、受信した前記コード情報及び前記端末識別情報に対応付けて記憶している前記移動機の機器識別情報を抽出し、抽出した機器識別情報を前記測位装置に送信する手段とを有し、前記測位装置は、前記サーバ装置によって抽出された機器識別情報に基づいて、検索対象となる前記移動機の位置を算出する測位システムを提供する。
この測位システムによれば、サーバ装置が、検索者が利用する通信端末から受信したコード情報及び端末識別情報に基づいて、検索対象となる被検索者が所持する移動機に固有の機器識別情報を取得することができる。つまり取得した機器識別情報をもって検索対象となる被検索者の移動機を特定できるとともに、検索者しか知り得ないはずのコード情報と検索者しか利用し得ないはずの通信端末の端末識別情報の組み合わせにより、正当な検索者以外の者からの検索要求を排除することができる。
【０００７】
また、好ましくは、前記通信端末が、前記検索者しか知り得ないパスワードと、当該検索者が位置検索の対象にしたい前記被検索者によって所持される移動機を示す前記機器識別情報と、当該検索者が所望する前記コード情報とを入力するための操作を受け付ける手段と、入力された前記パスワード、前記機器識別情報及び前記コード情報を、自端末の端末識別情報とともに前記サーバ装置に送信する手段とを有し、前記サーバ装置が、前記通信端末から送信されてくる前記パスワード、前記機器識別情報、コード情報及び前記端末識別情報を受信する手段と、受信した前記パスワード及び前記機器識別情報を既に記憶している内容と照合することによって、前記検索者についての認証を行う手段と、前記認証によって前記検索者の正当性が確認された場合には、既に記憶している前記パスワード及び前記機器識別情報に対応付けて、当該機器識別情報及び当該パスワードとともに受信した前記コード情報及び前記端末識別情報を記憶する手段とを有していてもよい。
これにより、位置検索を行うために必要なコード情報と端末識別情報をサーバ装置に事前に記憶させることができるが、この際に、パスワードと機器識別情報を用いて検索者の正当性を確認することが可能となる。
【０００８】
また、好ましい態様においては、前記サーバ装置が、前記測位装置によって算出された位置を示す位置情報を取得し、取得した位置情報を前記通信端末に送信する手段を有し、前記通信端末が、受信した前記位置情報を出力する手段を有していてもよい。これにより、検索者は自身が利用する通信端末を用いて被検索者の位置を確認することができる。
【０００９】
また、本発明は、被検索者が所持する移動機の位置を検索するためのコード情報及び検索者が利用する通信端末に固有の端末識別情報と、前記移動機に固有の機器識別情報とを対応付けて記憶する記憶手段と、前記通信端末からの要求に応じて、前記コード情報の入力を前記検索者に促すためのデータを前記通信端末に送信する手段と、前記通信端末から送信されてくる前記コード情報と当該通信端末に固有の端末識別情報を受信する手段と、受信した前記コード情報及び前記端末識別情報に対応付けて前記記憶手段に記憶されている前記機器識別情報を読み出す手段と、読み出した前記機器識別情報を測位装置に送信する手段とを備えるサーバ装置を提供する。
【００１０】
なお、本発明は、コンピュータに、検索者が利用する通信端末からの要求に応じて、前記コード情報の入力を前記検索者に促すためのデータを通信装置を用いて前記通信端末に送信する機能と、前記通信端末から送信されてくる前記コード情報と当該通信端末に固有の端末識別情報を通信装置を用いて受信する機能と、受信した前記コード情報及び前記端末識別情報に対応付けて記憶手段に記憶されている、被検索者が所持する移動機に固有の機器識別情報を読み出す機能と、読み出した前記機器識別情報を通信装置を用いて測位装置に送信する機能とを実現させるためのプログラムを提供する。このプログラムはコンピュータ読みとり可能な記録媒体に記録され得る。
【００１１】
【発明の実施の形態】
以下、図面を参照して、この発明の実施形態について説明する。
Ａ：構成
以下、図面を参照して、本発明の実施の一形態について説明する。なお、図面において共通する構成要素には同一の符号が付されている。
図１は、位置検索サービスを提供するシステム全体の構成を示すブロック図である。図１に示されるように、このシステムは、検索者１が利用する移動通信端末１０と、この移動通信端末１０に通信サービスを提供する移動パケット通信網１１と、被検索者２が所持するＰＨＳ端末２０と、このＰＨＳ端末２０に通信サービスを提供するＰＨＳ網２１と、このＰＨＳ網２１に接続されている測位サーバ装置３０と、この測位サーバ装置３０に専用線を介して接続されるとともにインターネット４０に接続されている位置検索サービスセンタ５０とを備えている。ＰＨＳ網２１と移動パケット通信網１１は各々ゲートウェイ装置２２、１２を介してインターネット４０に接続されている。これによって、ＰＨＳ網２１とインターネット４０との間、或いは、移動パケット通信網１１とインターネット４０との間では双方向のデータ通信を行うことが可能になっている。
【００１２】
ＰＨＳ網２１は、おおよそ１〜数百メートルの間隔を空けて設置された基地局２３ａ、２３ｂ・・・や、これら基地局に接続された交換局（図示略）を備えている。これら基地局２３ａ、２３ｂ・・・の各々は、自局に割り当てられた基地局ＩＤを含む制御信号を無線セル内に送信している。このシステムでは、上記基地局ＩＤを用いてＰＨＳ端末２０の位置が算出されるようになっている。具体的には、ＰＨＳ端末２０が周辺にある最大１０局の基地局２３ａ、２３ｂ・・・から受信した制御信号に含まれている基地局ＩＤやその受信電界強度、さらには、各基地局２３ａ、２３ｂ・・・の位置や制御信号の送信出力レベルに基づいて、ＰＨＳ端末２０の存在確率分布を算出し、その期待値の高い位置を推定位置としている。そして、このときの推定誤差は、上記推定位置を中心とした円の中にＰＨＳ端末２０が存在する確率が閾値以上となる半径の大きさである。この結果、後述する図８に示す如く、ＰＨＳ端末２０が存在する確率が閾値以上であるエリア（円形エリア）が検索者１に対して示されることになる。
【００１３】
上記のような測位処理を実行する装置が、図１に示した測位サーバ装置３０である。この測位サーバ装置３０は、一般的なサーバ装置と同等のハードウェアによって構成されている。測位サーバ装置３０の不揮発性メモリには、予め把握している各基地局２３ａ、２３ｂ・・・の位置を示す情報や、各基地局２３ａ、２３ｂ・・・から送信されている制御信号の送信出力レベルを示す情報が記憶されている。また、この不揮発性メモリには、上述したような測位処理を実行するためのプログラムや、位置検索サービスセンタ５０に備わるＷＷＷサーバ装置５１と専用線を介してデータ通信を行うためのプログラムが記憶されている。
【００１４】
移動通信端末１０は、例えばＰＤＣ（Ｐｅｒｓｏｎａｌ  Ｄｉｇｉｔａｌ    Ｃｅｌｌｕｌａｒ）方式やＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ  ）方式或いはＩＭＴ−２０００（Ｉｎｔｅｒｎａｔｉｏｎａｌ    Ｍｏｂｉｌｅ    Ｔｅｌｅｃｏｍｍｎｕｃａｔｉｏｎ−２０００）方式の周知の携帯電話機である。この移動通信端末１０の不揮発性メモリにはブラウザソフトウェアが記憶されており、移動通信端末１０のマイクロプロセッサはこのブラウザソフトウェアを実行することにより、以下のようなブラウジング機能を実現する。即ち、インターネット４０に接続されたＷＷＷサーバ装置（例えばＷＷＷサーバ装置５１）に対し移動パケット通信網１１及びインターネット４０を介してＨＴＴＰ（Ｈｙｐｅｒｔｅｘｔ    Ｔｒａｎｓｆｅｒ    Ｐｒｏｔｏｃｏｌ）リクエストを送信し、これに応じてＷＷＷサーバ装置５１から送信されてくるＨＴＴＰレスポンスを受信し、受信したＨＴＴＰレスポンスに含まれているＨＴＭＬ（Ｈｙｐｅｒｔｅｘｔ    Ｍａｒｋｕｐ    Ｌａｎｇｕａｇｅ）形式のデータを解釈して液晶ディスプレイに表示する、という機能である。なお、以下では、ＨＴＭＬ形式のデータを単にＨＴＭＬデータという。
【００１５】
上記のように、移動通信端末１０とＷＷＷサーバ装置５１との間ではＨＴＴＰリクエストやＨＴＴＰレスポンスといったＨＴＴＰメッセージがやり取りされるが、これらのＨＴＴＰメッセージは、移動パケット通信網１１とインターネット４０との間に介在するゲートウェイ装置１２によって中継されることになる。ここで、ゲートウェイ装置１２は、移動通信端末１０から送信されるＨＴＴＰリクエストを中継する際には、移動通信端末１０から通知されてくる当該移動通信端末１０の電話番号を、その移動通信端末１０に固有の識別情報（以下、「ＵＩＤ」という）に変換し、変換したＵＩＤを上記ＨＴＴＰリクエストのヘッダに記述する機能を備えている。この機能を実現するため、ゲートウェイ装置１２は、不揮発性メモリに予め電話番号とＵＩＤとを１対１に対応付けて記憶しており、この記憶内容を参照して上記変換処理を行うようになっている。
これにより、移動通信端末１０から送信されてＷＷＷサーバ装置５１に到達するＨＴＴＰリクエストのヘッダには、その移動通信端末１０に対応するＵＩＤが記述されていることになる。このＵＩＤは、ＷＷＷサーバ装置５１によって、検索者１の正当性を確認するために利用されるとともに、被検索者２を特定するためにも利用されるようになっている。
【００１６】
次に、位置検索サービスセンタ５０の構成について説明する。
位置検索サービスセンタ５０は、前述したＷＷＷサーバ装置５１の他、地図データベースサーバ装置５２と、加入者データベースサーバ装置５３とを備えている。なお、以下の説明及び図面では、データベースサーバ装置という用語を「ＤＢＳ」と略称している。
ＷＷＷサーバ装置５１は、一般的なＷＷＷサーバ装置と同等のハードウェアを備えており、例えばＷＷＷサーバ装置５１が備えるハードディスクには、移動通信端末１０のブラウジング機能によって表示され得るＨＴＭＬデータや、移動通信端末１０とＨＴＴＰに従ってデータ通信を行うためのＷＷＷサーバアプリケーションプログラムが記憶されている。さらに、このハードディスクには、移動通信端末１０から送信されてくるＨＴＴＰリクエストに基づいて検索者１の正当性を確認した後に、検索対象であるＰＨＳ端末２０を指定して測位サーバ装置３０に測位処理を依頼するためのプログラムが記憶されている。
【００１７】
地図ＤＢＳ５２は、被検索者２の位置を検索することが可能なエリア（つまりＰＨＳ網２１の通信サービスエリア全域）の地図を表す地図データを記憶している。この地図データによって表される地図上に被検索者２の位置が重ね合わされて検索者１に提示される。
【００１８】
次に、加入者ＤＢＳ５３は、位置検索サービスの加入者（ここでは検索者１と被検索者２の双方を指す）に関する情報を示す加入者データを記憶している。
図２は、加入者ＤＢＳ５３が記憶している加入者データの一例を示す図である。図２に示すように、加入者ＤＢＳ５３は、被検索者２の各々が所持するＰＨＳ端末２０の「電話番号」及び各検索者１しか知り得ない「パスワード」に対応付けて、「アクセスコード」と称せられる情報と、前述した「ＵＩＤ」を記憶している。この「アクセスコード」とは、検索者１が位置検索サービスを受けるために必要なコード情報であり、検索者１が所望する４桁の数字からなる。このアクセスコードは、後述するように、検索者１が移動通信端末１０のテンキーを操作することによってこの加入者ＤＢＳ５３に登録される。ＷＷＷサーバ装置５１は、移動通信端末１０からゲートウェイ装置１２を経由して上記アクセスコード及びＵＩＤを含むＨＴＴＰリクエストを受信すると、このアクセスコード及びＵＩＤに対応するＰＨＳ端末２０の電話番号を加入者ＤＢＳ５３から取得し、取得した電話番号を専用線を介して測位サーバ装置３０に送信し、測位処理を依頼するようになっている。そして、測位サーバ装置３０は送信されてきた電話番号に基づいて、検索対象となる被検索者２のＰＨＳ端末２０の位置を算出する。算出された位置を示す情報は、測位サーバ装置３０からＷＷＷサーバ装置５１に送信され、このＷＷＷサーバ装置５１によって地図データと重ね合わされるとともにＨＴＭＬ形式に変換されて、検索者１の移動通信端末１０に送信されるようになっている。
以上が本実施形態の構成である。
【００１９】
Ｂ：動作
次に、図３及び図４に示すシーケンスを参照しながら、上記構成からなるシステムの動作について説明する。本実施形態では、従来と同じようにＰＨＳ端末２０の電話番号とパスワードを用いた位置検索と、上述したアクセスコードを用いた簡易な操作による位置検索が可能であり、後者の位置検索を「簡単検索」という名称で呼ぶ。以下では、まず、検索者１が簡単検索を行うためにアクセスコードを位置検索サービスセンタ５０に事前登録する際の動作を説明し、次いで、簡単検索そのものを行う際の動作を説明する。
【００２０】
図３において、まず、検索者１は、移動通信端末１０を操作してブラウザソフトウェアを起動し、さらに、ＷＷＷサーバ装置５１のＵＲＬ（Ｕｎｉｆｏｒｍ    Ｒｅｓｏｒｃｅ  Ｌｏｃａｔｏｒ）を入力する。移動通信端末１０は、この操作を受け付けると、上記ＵＲＬを含むＨＴＴＰリクエストｒ１を生成し、これをＷＷＷサーバ装置５１に送信する。
このＨＴＴＰリクエストｒ１はゲートウェイ装置１２を経由してＷＷＷサーバ装置５１に到達するが、このゲートウェイ装置１２にて前述したＵＩＤがＨＴＴＰヘッダに記述される。ただし、このＵＩＤは、ＨＴＴＰリクエストｒ１が到達した時点ではＷＷＷサーバ装置５１によって特に利用されることはない。以降の処理において、移動通信端末１０からＷＷＷサーバ装置５１宛に送信されるＨＴＴＰリクエストには必ずＵＩＤが付加されるが、そのＵＩＤがＷＷＷサーバ装置５１によって利用される場合のみ詳細な説明を行うことにする。
【００２１】
さて、ＷＷＷサーバ装置５１は、ＨＴＴＰリクエストｒ１を受信すると、ハードディスクからＨＴＭＬデータを読み出し、このＨＴＭＬデータを含むＨＴＴＰレスポンスｒ２を移動通信端末１０に送信する。このＨＴＭＬデータは、検索者１にＰＨＳ端末２０の電話番号及びパスワードの入力を促すための画像を移動通信端末１０に表示させるものである。
【００２２】
移動通信端末１０は、受信したＨＴＴＰレスポンスｒ２に含まれるＨＴＭＬデータを解釈して、図５に示すように、ＰＨＳ端末２０の電話番号及びパスワードの入力欄が設けられた画像を表示する。検索者１が上記入力欄に電話番号「０７０−１１１１−２２２２」及びパスワード「１２３４」を入力し、「簡単検索登録」と表記されたソフトボタンを選択する操作を行うと、移動通信端末１０はこの操作を受け付けて、上記電話番号及びパスワードを含むＨＴＴＰリクエストｒ３をＷＷＷサーバ装置５１に送信する。
なお、図５において、検索者１が電話番号及びパスワードを入力し、「検索」と表記されたソフトボタンを選択する操作を行うと、従来と同じ手順で位置検索が行われるが、これについては説明を省略する。
【００２３】
ＷＷＷサーバ装置５１は、受信したＨＴＴＰリクエストｒ３から電話番号「０７０−１１１１−２２２２」及びパスワード「１２３４」を抽出し、これらの情報が加入者ＤＢＳ５３に記憶されているか否かを問い合わせるためのリクエスト信号ｒ４を加入者ＤＢＳ５３に送信する。ここでは図２の例に示す如く、電話番号「０７０−１１１１−２２２２」及びパスワード「１２３４」が加入者ＤＢＳ５３によって記憶されているので、加入者ＤＢＳ５３はその旨を表すレスポンス信号ｒ５をＷＷＷサーバ装置５１に送信する。ＷＷＷサーバ装置５１は上記レスポンス信号ｒ５を受信して電話番号「０７０−１１１１−２２２２」及びパスワード「１２３４」が加入者ＤＢＳ５３によって記憶されていることを確認すると、ＨＴＴＰリクエストｒ３は正当な検索者１からの要求であると判断する。そして、ＷＷＷサーバ装置５１は、次に送信すべきＨＴＭＬデータをハードディスクから読み出し、このＨＴＭＬデータを含むＨＴＴＰレスポンスｒ６を移動通信端末１０に送信する。
【００２４】
移動通信端末１０は、受信したＨＴＴＰレスポンスｒ６に含まれるＨＴＭＬデータを解釈して、図６に示すように、アクセスコードの入力欄が設けられた画像を表示する。ここで、検索者１が所望する４桁の数字（ここでは「１１１１」とする）を上記入力欄に入力し、「次へ」と表記されたソフトボタンを選択する操作を行うと、移動通信端末１０はこの操作を受け付けて、上記アクセスコードを含むＨＴＴＰリクエストｒ７をＷＷＷサーバ装置５１に送信する。このＨＴＴＰリクエストｒ７はゲートウェイ装置１２を経由してＷＷＷサーバ装置５１に到達するが、このゲートウェイ装置１２にてＨＴＴＰヘッダにＵＩＤ（ここでは「ｉｄ１００００１」とする）が記述される。
【００２５】
ＷＷＷサーバ装置５１は、受信したＨＴＴＰリクエストｒ７からアクセスコード「１１１１」を抽出するとともに、そのＨＴＴＰリクエストｒ７のヘッダからＵＩＤ「ｉｄ１００００１」を抽出し、これらのアクセスコード及びＵＩＤを含むリクエスト信号ｒ８を加入者ＤＢＳ５３に送信する。
加入者ＤＢＳ５３は、リクエスト信号ｒ８に含まれているアクセスコード「１１１１」及びＵＩＤ「ｉｄ１００００１」を、前述した電話番号「０７０−１１１１−２２２２」及びパスワード「１２３４」に対応付けて記憶する。これによって、加入者ＤＢＳ５３が記憶している内容は、図２に示すような状態となる。この記憶処理が完了すると、加入者ＤＢＳ５３は記憶処理が完了した旨を示すレスポンス信号ｒ９をＷＷＷサーバ装置５１に送信する。
ＷＷＷサーバ装置５１は、レスポンス信号ｒ９を受信すると、次に送信すべきＨＴＭＬデータをハードディスクから読み出し、このＨＴＭＬデータを含むＨＴＴＰレスポンスｒ１０を移動通信端末１０に送信する。
【００２６】
移動通信端末１０は、受信したＨＴＴＰレスポンスｒ１０に含まれるＨＴＭＬデータを解釈して、図７に示すような画像を表示する。この画像では、簡単検索のための事前登録が完了した旨が表わされているとともに、そのまま引き続いて検索者１が簡単検索を指示することができるようになっている。従って、検索者１は、この時点で動作を終了してもよいし、引き続いて簡単検索を指示してもよいが、以下では、引き続き簡単検索を行う場合について図４を参照しながら説明する。
【００２７】
検索者１が、図７に示す画像を参照しながら、アクセスコード「１１１１」を入力欄に入力し「簡単検索」と表記されたソフトボタンを選択すると、移動通信端末１０はこの操作を受け付けて、上記アクセスコードを含むＨＴＴＰリクエストｒ１１をＷＷＷサーバ装置５１に送信する。このＨＴＴＰリクエストｒ１１はゲートウェイ装置１２を経由してＷＷＷサーバ装置５１に到達するが、このゲートウェイ装置１２にてＨＴＴＰヘッダにＵＩＤ「ｉｄ１００００１」が記述される。
【００２８】
ＷＷＷサーバ装置５１は、受信したＨＴＴＰリクエストｒ１１からアクセスコード「１１１１」を抽出するとともに、そのＨＴＴＰヘッダからＵＩＤ「ｉｄ１００００１」を抽出し、これらの情報に対応して記憶されているＰＨＳ端末２０の電話番号を要求するためのリクエスト信号ｒ１２を加入者ＤＢＳ５３に送信する。
ここで、図２の例に示すように、アクセスコード「１１１１」及びＵＩＤ「ｉｄ１００００１」に対応する電話番号は「０７０−１１１１−２２２２」であるので、加入者ＤＢＳ５３は、この電話番号「０７０−１１１１−２２２２」を読み出し、これを含むレスポンス信号ｒ１３をＷＷＷサーバ装置５１に送信する。
【００２９】
ＷＷＷサーバ装置５１は、受信したレスポンス信号ｒ１３から電話番号「０７０−１１１１−２２２２」を抽出し、この電話番号が示すＰＨＳ端末２０の位置検索を要求するためのリクエスト信号ｒ１４を専用線を介して測位サーバ装置３０に送信する。
測位サーバ装置３０はこのリクエスト信号ｒ１４を受信すると、この信号ｒ１４に含まれている電話番号「０７０−１１１１−２２２２」に基づいてＰＨＳ端末２０を発呼する。これに対しＰＨＳ端末２０からの着呼応答があると、測位サーバ装置３０は、周辺の基地局に関する情報を要求するためのリクエスト信号ｒ１５を送信する。
【００３０】
ＰＨＳ端末２０は、このリクエスト信号ｒ１５を受信すると、周辺の各基地局が送信している制御信号を受信し、最大１０局分の基地局ＩＤとその受信電界強度を含むレスポンス信号ｒ１６を測位サーバ装置３０に送信する。
測位サーバ装置３０は、受信したレスポンス信号ｒ１６に含まれている基地局ＩＤ及び受信電界強度と、予め記憶している各基地局の位置及びこれら基地局から送信される制御信号の送信出力に基づいてＰＨＳ端末２０の存在確率分布を求めるなどして、ＰＨＳ端末２０（被検索者２）の位置を示す位置情報を算出する。そして、測位サーバ装置３０は算出した位置情報を含むレスポンス信号ｒ１７をＷＷＷサーバ装置５１に送信する。
【００３１】
ＷＷＷサーバ装置５１はレスポンス信号ｒ１７を受信すると、受信した信号ｒ１７から位置情報を抽出し、その位置情報の近辺の地図を表すデータを地図ＤＢＳ５２に対して要求するためのリクエスト信号ｒ１８を送信する。これに応じて、地図ＤＢＳ５２は、要求された地図データをメモリから読み出し、この地図データを含むレスポンス信号ｒ１９をＷＷＷサーバ装置５１に送信する。
ＷＷＷサーバ装置５１は、受信した地図データが示す地図上で上記位置情報によって示される位置に目印を重ね合わせた画像を表すデータを生成し、生成したデータを含むＨＴＴＰレスポンスｒ２０を移動通信端末１０に送信する。
移動通信端末１０は、受信したＨＴＴＰレスポンスｒ２０に含まれるデータを解釈して、図８に示すような画像を表示する。これによって検索者１は被検索者２の位置を知ることができる。
以上が本実施形態の動作である。
なお、いったん登録したアクセスコードを新たに更新したい場合には、図３に示した手順に従って、古いアクセスコードに代えて新たなアクセスコードをＷＷＷサーバ装置５１に記憶させるようにすればよい。
【００３２】
以上説明した実施形態によれば、検索者１は、比較的簡易な数字列からなるアクセスコードを入力する操作だけで、被検索者２の位置検索を指示することができる。
また、アクセスコードが入力された移動通信端末１０からＷＷＷサーバ装置５１に送信されてくるＨＴＴＰリクエストには、この移動通信端末１０に固有のＵＩＤが含まれているので、ＷＷＷサーバ装置５１はアクセスコードとＵＩＤの組み合わせが予め登録しているものと合致するか否かによって、検索者１の正当性を確認することができる。
また、アクセスコードとＵＩＤの組み合わせと、検索対象となるＰＨＳ端末２０の電話番号とは１対１に対応しているので、これによって、ＷＷＷサーバ装置５１は検索対象であるＰＨＳ端末２０を特定できる。
また、ＵＩＤは、移動通信端末１０の電話番号に基づいてゲートウェイ装置１２によって記述されるものである。ユーザが移動通信端末１０から発信される電話番号を改竄することは一般に困難であることから、この電話番号に対応するＵＩＤを改竄しようとしても、それも非常に難しいといえる。このように、実施形態では、従来のようにユーザが手動で入力していたＩＤ及びパスワードに代えて、移動パケット通信網１１の設備であるゲートウェイ装置が記述するＵＩＤを利用しているので、検索者１についての認証レベルはより信頼性が高いものとなる。
また、検索者がアクセスコードをＷＷＷサーバ装置５１に事前登録する際には、その検索者しか知り得ないパスワードを用いて認証を行うので、検索者の正当性を確認することができる。
【００３３】
Ｃ：変形例
本発明は、上述した実施形態に限定されず、例えば次のような変更が可能である。
（１）検索者１が利用する移動通信端末１０としては、実施形態で示した携帯電話機に限らず、データ通信を行う通信装置を内蔵したＰＤＡ（Ｐｅｒｓｏｎａｌ  Ｄｉｇｉｔａｌ    Ａｓｓｉｓｓｔａｎｔｓ）や、携帯電話機を介してデータ通信を行うモバイルパーソナルコンピュータであってもよい。また、ＰＨＳ端末であってもよく、この場合、図１に示すように移動パケット通信網１１とＰＨＳ網２１という２つの網は必要なく、ＰＨＳ網２１だけでよい。この場合、ゲートウェイ装置１２が実現する機能はゲートウェイ装置２２が備えることになる。さらに、検索者１が利用する通信端末は、移動通信端末である必要もなく、パーソナルコンピュータ等の固定型の通信端末であってもよい。
また、実施形態では、検索者１が利用する移動通信端末１０の識別情報としてＵＩＤを用いていたが、その理由は個人のプライバシーに関わる情報である電話番号をインターネットのようなオープンネットワーク上に送出させたくないからであって、そのような事情を考慮する必要がないのであれば、電話番号をＵＩＤに変換することなくそのまま識別情報として利用してもよい。また、移動通信端末１０のハードウェアやソフトウェアのシリアルナンバーであってもよいし、ＧＳＭ方式のようにＵＩＭ（Ｕｓｅｒ  Ｉｄｅｎｔｉｆｙ  Ｍｏｄｕｌｅ）を利用する場合には、そのＵＩＭの識別情報であってもよい。
【００３４】
（２）上述の実施形態で説明した各構成装置は、その機能毎に分離してもよいし、さらに複数の機能を集約化させてもよい。例えば、位置検索センタの機能と測位サーバ装置３０の機能を１つの装置が備えるようにしてもよいし、位置検索センタ内のＷＷＷサーバ装置５１が加入者ＤＢＳ５３や地図ＤＢＳ５２としての機能を備えてもよい。即ち、これらのサーバ装置の構成は任意であり、特許請求の範囲におけるサーバ装置という用語も、単数のサーバ装置のみならず、複数のサーバ装置からなる場合をも意味する。
【００３５】
（３）実施形態で被検索者２の位置を検索するのにＰＨＳを用いていたのは、ＰＨＳがマイクロセル方式であるため比較的精度の高い位置を算出することができるからである。よって、例えば位置の精度を問わない場合や、他の方式の移動機を用いても精度の高い位置を算出できる仕組みがあれば、実施形態のようなＰＨＳを用いたものに限定されない。例えば被検索者２が持つ移動機にＧＰＳ測位装置を搭載してもよい。
【００３６】
（４）実施形態では、被検索者と検索者は１対１に対応していたが、これに限らず、１人の検索者に対して複数の被検索者がいてもよいし、また、その逆であってもよい。
【００３７】
（５）実施形態の説明では、移動通信端末１０が自身の電話番号をゲートウェイ装置１２に通知する、という表現を用いて説明した。この技術自体は移動パケット通信網１１が備える周知の技術にすぎないので、上記実施形態では詳細な説明は省略した。なお、厳密にいうと、電話番号は移動通信端末１０が利用する回線の交換処理を行う交換機によって通知される場合もあるが、この場合であっても、その電話番号を特定するための何らかの識別情報は移動通信端末１０から発信されるので、上記のような表現を用いて説明したものである。
さらに別の技術を用いて、移動通信端末１０の電話番号をゲートウェイ装置１２に通知するようにしてもよい。例えば、移動通信端末１０のブラウザソフトウェアが、この移動通信端末１０の電話番号をＨＴＴＰヘッダに記述するといった機能を実現することができれば、これによって、移動通信端末１０はゲートウェイ装置１２に電話番号を通知することが可能となる。ただし、現在普及しているブラウザソフトウェアには上記のような機能は実装されていないため、このソフトウエア自体を改変しなければならないという問題がある。このような事情の下に、出願人は、移動パケット通信網１１が本来備えている電話番号通知機能を本発明に適用して、移動通信端末１０の電話番号をゲートウェイ装置１２に通知することを着想した。
【００３８】
（６）なお、実施形態で説明したアクセスコードが４桁の数字に限定されないことはいうまでもなく、桁数は何桁であってもよいし、文字や英字或いは記号を含んでいてもよい。
【００３９】
（７）上述したＷＷＷサーバ装置５１が動作するためのコンピュータプログラムは、ＷＷＷサーバのＣＰＵによって読み取り可能な磁気記録媒体、光記録媒体あるいはＲＯＭなどの記録媒体に記録して提供することができる。また、インターネット４０のようなネットワーク経由でＷＷＷサーバ装置５１にダウンロードさせることももちろん可能である。
【００４０】
【発明の効果】
上述したように本発明によれば、検索者は、コード情報を入力する操作だけで、被検索者の位置検索を行うことができる。
【図面の簡単な説明】
【図１】本発明の実施の一形態に係るシステムの構成を示すブロック図である。
【図２】同システムにおける加入者ＤＢＳ５３が記憶している内容の一例を示す図である。
【図３】同システムの動作例を示すシーケンス図である。
【図４】同システムの動作例を示すシーケンス図である。
【図５】同システムにおける移動通信端末１０に表示される画像を示す図である。
【図６】同システムにおける移動通信端末１０に表示される画像を示す図である。
【図７】同システムにおける移動通信端末１０に表示される画像を示す図である。
【図８】同システムにおける移動通信端末１０に表示される画像を示す図である。
【符号の説明】
１・・・検索者、２・・・被検索者、
１０・・・移動通信端末（通信端末）、
１１・・・移動パケット通信網、１２・・・ゲートウェイ装置１２、
２０・・・ＰＨＳ端末（移動機）、２１・・・ＰＨＳ網、
３０・・・測位サーバ装置（測位装置）、４０・・・インターネット、
５０・・・位置検索サービスセンタ、
５１・・・ＷＷＷサーバ装置（サーバ装置）、
５２・・・地図データベースサーバ装置（サーバ装置）、
５３・・・加入者データベースサーバ装置（サーバ装置）。
【図１】
2004282201.tif 000003
【図２】
2004282201.tif 000004
【図３】
2004282201.tif 000005
【図４】
2004282201.tif 000006
【図５】
2004282201.tif 000007
【図６】
2004282201.tif 000008
【図７】
2004282201.tif 000009
【図８】
2004282201.tif 000010